(57)【要約】【課題】乗員後部の比較的高い剛性を、サイドエアバッグによる乗員保護に利用したサイドエアバッグ装置の提供。【解決手段】本発明のサイドエアバッグ装置１０は、高圧の内側バッグ１１と低圧の外側バッグ１２を有する。内側バッグ１１が車両前後方向で乗員背中から標準体型での乗員肋骨の車両前後方向中央部までをカバーし、外側バッグ１２が車両前後方向で乗員背中から腹部前端までをカバーする。内側バッグ１１が車両上下方向でシートバック１７の上下方向中央部かそれより下方部位から上端近傍までをカバーし、外側バッグ１２が車両上下方向にシートバック１７の下端部から上端近傍までをカバーする。内側バッグ１１が外側バッグ１２と同時かまたは先に開くように展開順序が設定されている。【選択図】        図１
2008201175.tif 000002
【特許請求の範囲】
【請求項１】
車両の側突時に乗員のサイドドア側の側方に展開膨張され、外側バッグと、該外側バッグ内に配置された内側バッグと、前記外側バッグと前記内側バッグに膨張用ガスを供給する少なくとも１つのインフレータとを有するサイドエアバッグ装置であって、前記前記内側バッグの展開圧力が前記外側バッグの展開圧力より高圧であり、前記内側バッグは車両前後方向で乗員背中から標準体型での乗員肋骨の車両前後方向中央部までをカバーし、前記外側バッグは車両前後方向で乗員背中から腹部前端までをカバーするように、前記内側バッグと前記外側バッグの展開形状が設定されているサイドエアバッグ装置。
【請求項２】
前記内側バッグは車両上下方向でシートバックの上下方向中央部かそれより下方部位から上端近傍までをカバーし、前記外側バッグは車両上下方向にシートバックの下端部から上端近傍までをカバーするように、前記内側バッグと前記外側バッグの展開形状が設定されている請求項１に記載のサイドエアバッグ装置。
【請求項３】
前記内側バッグが前記外側バッグと同時かまたは先に開くように展開順序が設定されている請求項１または請求項２に記載のサイドエアバッグ装置。
【請求項４】
前記内側バッグを内部に含んだ前記外側バッグの、上下方向中央領域以外の上下領域を上下方向に折りたたんだ後、前記上下方向中央領域を車両前後方向に折りたたんだ請求項１〜請求項３の何れか１項に記載のサイドエアバッグ装置。
【請求項５】
乗員の体格を検知する乗員検知センサをさらに備えており、該乗員検知センサからの信号に基づいて乗員が小柄な乗員であると判断した場合は前記外側バッグのみを展開し、乗員が小柄な乗員であると判断された場合以外は前記外側バッグと前記内側バッグの両方を展開する展開制御装置を備えている請求項１〜請求項４の何れか１項に記載のサイドエアバッグ装置。
【請求項６】
前記インフレータは単一のインフレータからなり、前記内側バッグは、車両前後方向で乗員背中から標準体型での乗員肋骨の車両前後方向中央部までの領域で展開するメイン部と、該メイン部よりさらに車両前後方向前方に展開し乗員の上腕部に沿って延びるストロー状のノーズ部を有し、ノーズ部の前端には前記外側バッグ内部に連通するガス圧調整用のオリフィスが設けられている請求項１〜請求項５の何れか１項に記載のサイドエアバッグ装置。
【請求項７】
前記外側バッグはベント穴を有する請求項６に記載のサイドエアバッグ装置。
【請求項８】
前記インフレータは単一のインフレータからなり、該インフレータがガス噴出口を有しており、前記サイドエアバッグ装置が、前記インフレータのガス噴出口と前記内側バッグの内部とを接続する流れ抵抗小の通路と、前記インフレータのガス噴出口と前記外側バッグの内部とを接続する流れ抵抗大の通路とをもつ分圧器を有している請求項１〜請求項５の何れか１項に記載のサイドエアバッグ装置。
【請求項９】
前記インフレータは前記内側バッグに膨張用ガスを供給する第１のインフレータと前記外側バッグに膨張用ガスを供給する第２のインフレータとを含む請求項１〜請求項５の何れか１項に記載のサイドエアバッグ装置。
【発明の詳細な説明】
【技術分野】
【０００１】
本発明は、車両用サイドエアバッグ装置（以下、単にサイドエアバッグ装置という）に関し、とくに乗員の前後方向の剛性の違いを考慮に入れて効果的な乗員保護をはかったサイドエアバッグ装置に関する。
【背景技術】
【０００２】
乗員の上下方向の剛性の違いを考慮に入れて効果的な乗員保護をはかったサイドエアバッグ装置が従来から提案されている。
特許文献１は、腰部チャンバの内圧を胸部チャンバよりも高く設定した２チャンバ式シート付けサイドエアバッグ装置を開示している。
特許文献２は、後側チャンバが上方へ展開後、前側チャンバを上方へ展開することで、乗員の腕の跳ね上げを抑制した２チャンバ式シート付けサイドエアバッグ装置を開示している。
【特許文献１】特開２０００−１７７５２７号公報
【特許文献２】特開２０００−２８０８５３号公報
【発明の開示】
【発明が解決しようとする課題】
【０００３】
特許文献１も特許文献２も、乗員の胸部前後における剛性差を考慮していない。乗員の肋骨の左右に最も張り出した部位よりも後部は前部よりも剛性が高いが、サイドエアバッグ装置は、従来、剛性の低い胸部前部を基準として設計されており、サイドエアバッグの内圧と展開膨張時間等に上限があった。そのため、乗員後部の比較的高い剛性が乗員保護に十分には生かされていない。
【０００４】
本発明の目的は、乗員後部の比較的高い剛性を、サイドエアバッグによる乗員保護に利用することができるとともに、胸部前部も従来どおり側突の衝撃エネルギから保護することができるサイドエアバッグ装置を提供することにある。
【課題を解決するための手段】
【０００５】
上記課題を解決する、または上記目的を達成する本発明はつぎのとおりである。
（１）本発明のサイドエアバッグ装置は、車両の側突時に乗員のサイドドア側の側方に展開膨張される。本発明のサイドエアバッグ装置は、外側バッグと、外側バッグ内に配置された内側バッグと、外側バッグと内側バッグに膨張用ガスを供給する少なくとも１つのインフレータとを有する。内側バッグの展開圧力が外側バッグの展開圧力より高圧である。内側バッグが車両前後方向で乗員背中から標準体型での乗員肋骨の車両前後方向中央部までをカバーし、外側バッグが車両前後方向で乗員背中から腹部前端までをカバーするように、内側バッグと外側バッグの展開形状が設定されている。
（２）上記（１）のサイドエアバッグ装置において、内側バッグが車両上下方向でシートバックの上下方向中央部かそれより下方部位から上端近傍までをカバーし、外側バッグが車両上下方向にシートバックの下端部から上端近傍までをカバーするように、内側バッグと外側バッグの展開形状が設定されている。
（３）上記（１）または（２）の何れかのサイドエアバッグ装置において、内側バッグが外側バッグと同時かまたは先に開くように展開順序が設定されている。
【０００６】
（４）上記（１）〜（３）の何れかのサイドエアバッグ装置において、内側バッグを内部に含んだ外側バッグの、上下方向中央領域以外の上下領域を上下方向に折りたたんだ後、上下方向中央領域を車両前後方向に折りたたまれる。
（５）上記（１）〜（４）の何れかのサイドエアバッグ装置において、乗員の体格を検知する乗員検知センサをさらに備えている。サイドエアバッグ装置は、乗員検知センサからの信号に基づいて乗員が小柄な乗員であると判断した場合は外側バッグのみを展開し、乗員が小柄な乗員であると判断された場合以外は外側バッグと内側バッグの両方を展開する展開制御装置を備えている。
上記（１）〜（５）は本発明の何れの実施例にも適用可能である。
【０００７】
（６）上記（１）〜（５）の何れかのサイドエアバッグ装置において、インフレータは単一のインフレータからなり、内側バッグは、車両前後方向で乗員背中から標準体型での乗員肋骨の車両前後方向中央部までの領域で展開するメイン部と、該メイン部よりさらに車両前後方向前方に展開し乗員の上腕部に沿って延びるストロー状のノーズ部を有し、ノーズ部の前端には外側バッグ内部に連通するガス圧調整用のオリフィスが設けられている。
（７）上記（６）のサイドエアバッグ装置において、外側バッグはベント穴を有する。
上記（６）、（７）は本発明の実施例１に適用可能である。
（８）上記（１）〜（５）の何れかのサイドエアバッグ装置において、インフレータは単一のインフレータからなり、インフレータがガス噴出口を有しており、サイドエアバッグ装置が、インフレータのガス噴出口と前記内側バッグの内部とを接続する流れ抵抗小の通路と、インフレータのガス噴出口と外側バッグの内部とを接続する流れ抵抗大の通路とをもつ分圧器を有している。
上記（８）は本発明の実施例２に適用可能である。
【０００８】
（９）上記（１）〜（５）の何れかのサイドエアバッグ装置において、インフレータは内側バッグに膨張用ガスを供給する第１のインフレータと外側バッグに膨張用ガスを供給する第２のインフレータとを含む。
上記（９）は本発明の実施例３に適用可能である。
【発明の効果】
【０００９】
上記（１）のサイドエアバッグ装置によれば、車両側突時に、剛性の高い乗員後部側面を高圧の内側バッグで押圧することで乗員をサイドドアから対向ドア側（反衝突側）に遠ざけ、乗員とサイドドアとの間に隙間を確保し、該隙間に低圧の外側バッグを展開させ、剛性の低い乗員胸部前部側面を低圧の外側バッグで拘束し、側突時の胸部の衝撃エネルギーを外側バッグで吸収する。この結果、側突時に剛性の高い乗員後部を有効に利用して乗員をサイドドアから対向ドア側に遠ざけることができ、サイドドアが乗員と直接的に当たることを抑制して、乗員を効果的に保護することが可能である。その結果、サイドエアバッ装置の乗員保護性能が向上する。
また、内側バッグを外側バッグ内に配置することにより、高圧の内側バッグを乗員保護上適切な位置に容易に展開させることができる。
また、外側バッグを低圧としたため、バッグ展開時、周辺に着座した小児等への負荷を低減できる。
上記（２）のサイドエアバッグ装置によれば、内側バッグが車両上下方向でシートバックの上下方向中央部かそれより下方部位から上端近傍までをカバーするので、耐性の最も高い乗員の肩甲骨とその近傍を、乗員をサイドドアから対向ドア側に遠ざけるときに押すのに有効に利用できる。また、外側バッグが車両上下方向にシートバックの下端部から上端近傍までをカバーするので、外側バッグは広い面積で乗員胸部前部と接触でき、ドア内装材との局所的な接触を防止して接触荷重を分散でき、乗員に負荷される荷重を低減できる。
上記（３）のサイドエアバッグ装置によれば、内側バッグが外側バッグと同時かまたは先に開くように展開順序が設定されているので、車両の側突時に先に高圧の内側バッグが展開して乗員をサイドドアから遠ざけるとともに、乗員の胸部、腹部とサイドドアとの間に隙間を確保し、ついで、乗員とサイドドアとの間に隙間に、時間的に余裕がある低圧の外側バッグを展開させることができる。
【００１０】
上記（４）のサイドエアバッグ装置によれば、展開順序は折りたたみ順序と逆となり、外側バッグと内側バッグは、上下方向中央領域が前方に展開した後、外側バッグと内側バッグの上下領域が上下方向に展開する。内側バッグは外側バッグより先に展開し始めるが、内側バッグの展開は外側バッグの上下方向中央領域の前方への展開を助ける。外側バッグと内側バッグは、互いの展開を妨げることはない。
上記（５）のサイドエアバッグ装置によれば、小柄な乗員への、サイドエアバッグからの過大な負荷を抑制することができ、乗員の体格に応じて車両の側突から適切に乗員を保護することが可能である。
【００１１】
上記（６）のサイドエアバッグ装置によれば、内側バッグが乗員の上腕部に沿って延びるストロー状のノーズ部と、ノーズ部の前端にオリフィスを有するので、車両の側突時に、インフレータが作動して膨張用ガスは、内側バッグに噴出され、ノーズ部を通して外側バッグ内に供給される。この際、乗員のサイドドア側に最も張り出した上腕部の横にノーズ部を配置することで、ドアトリムと乗員（乗員の上腕部以外の部分）との隙間が狭い部分における初期隙間を確保し、低圧の外側バッグがこの隙間に展開しやすくすることができる。この結果、外側バッグの展開性能が向上する。
上記（７）のサイドエアバッグ装置によれば、外側バッグがベント穴を有するので、外側バッグの内圧を内側バッグの内圧に比べて確実に低くすることができる。また、ベント穴の径を調整することにより、外側バッグの内圧を所望の圧力に容易に設定することができる。また、ベント穴の径を調整することにより、人体形状およびドアトリム形状等によりバッグ形状が抑制され局所的体積の変化が起こる場合等の圧力変化をコントロールできる。
上記（８）のサイドエアバッグ装置によれば、サイドエアバッグ装置が、１つのインフレータのガス噴出口を分圧器を介して内側バッグと外側バッグに接続することにより、確実に、内側バッグに高圧ガスを、外側バッグに低圧ガスを供給することができる。
上記（９）のサイドエアバッグ装置によれば、インフレータが内側バッグに膨張用ガスを供給する第１のインフレータと外側バッグに膨張用ガスを供給する第２のインフレータとを含むので、内側バッグと外側バッグに、互いに独立に、ガスを供給し、展開させることができる。その結果、内側バッグと外側バッグの展開圧力、展開順序を容易に調整することが可能であり、外側バッグだけを展開膨張させることができる。
【発明を実施するための最良の形態】
【００１２】
以下に、本発明のサイドエアバッグ装置を、図１〜図２２を参照して説明する。
図１〜図６、および図２１、図２２は本発明の何れの実施例にも適用可能な構成または作用を示し、図７〜図１２は本発明の実施例１を示し、図１３〜図１６は本発明の実施例２を示し、図１９、図２０は本発明の実施例３を示す。本発明の何れの実施例にも適用できる部分には、本発明の全実施例にわたって同じ符号を付してある。
【００１３】
〔実施例１〕
本発明の実施例１のサイドエアバッグ装置１０を、図１〜図１２および図２１、図２２を参照して説明する。
本発明のサイドエアバッグ装置１０は、車両側突時に乗員Ｄとサイドドア１４との間に展開膨張して乗員Ｄを保護する装置である。
図１〜図３に示すように、本発明のサイドエアバッグ装置１０は、外側バッグ１２と、外側バッグ１２内に配置された内側バッグ１１と、外側バッグ１２と内側バッグ１１に膨張用ガスを供給する少なくとも１つのインフレータ２１とを有する。本発明のサイドエアバッグ装置１０は、シートバック１７のサイドドア１４側に取り付けられており、車両の側突時にインフレータ２１から噴出された膨張用ガスが供給されて乗員Ｄのサイドドア１４側の側方に展開膨張される。
【００１４】
外側バッグ１２と内側バッグ１１は展開圧力が互いに高低異なり、内側バッグ１１の内圧Ｐ１が外側バッグ１２の内圧Ｐ２より高い。ここで、高圧とは、互いに異なる圧力のうち高い方の圧力であり、低圧とは、互いに異なる圧力のうち低い方の圧力であり、圧力の絶対値の高低を問わない。内側バッグ１１の内圧は、従来の単一のバッグをもつサイドエアバッグの内圧より高く、外側バッグ１２の内圧は、従来の単一のバッグをもつサイドエアバッグの内圧と等しいかそれ以下である。
【００１５】
内側バッグ１１と外側バッグ１２は互いに独立のバッグであってもよい。あるいは、図４に示すように、内側バッグ１１と外側バッグ１２は仕切り壁１３で仕切って構成された仕切り壁１３を共有するバッグであってもよい。ただし、内側バッグ１１全体が外側バッグ１２の中にあり、内外２層構造である。図４で仕切り壁１３以外の部分は内側バッグ１１が外側バッグ１２が共通の壁部分であり、この共通の壁部分は１層であってもよい。
バッグの材料は、従来のバッグの材料と同じでよく、たとえば、布製である。
【００１６】
図１〜図３に示すように、内側バッグ１１が車両前後方向で乗員Ｄの後部Ｄｒ、すなわち乗員Ｄの背中から標準体型での乗員肋骨の車両前後方向中央部（標準体型（たとえば、ＡＭ５０）での乗員肋骨の左右方向に最も張出した部位）までの部分を側方からカバーし、外側バッグ１２が車両前後方向で乗員Ｄの後部Ｄｒと前部Ｄｆ（乗員肋骨の車両前後方向中央部から乗員胸部前端まで）の両方、すなわち乗員背中から腹部前端までを側方からカバーするように、内側バッグ１１と外側バッグ１２の展開形状が設定されている。乗員の前後方向と車両の前後方向とは一致する。
【００１７】
この構成をとることにより、センサにより側面衝突を感知後、インフレータ２１より各バッグ１１、１２に必要圧力を満足するようにガスがバッグ１１、１２内に噴出される。内側バッグ１１は、人体耐性の高い乗員胸部後方に高圧で展開し、初期拘束性能を向上させることで反衝突側への乗員移動量を増加させる。外側バッグ１２は乗員胸部前方と広い面積で接触し、ドアトリムとの局所的な接触荷重の分散や、乗員に負荷される荷重を吸収する。すなわち、車両側突時に、剛性の高い乗員後部側面を高圧の内側バッグ１１で押圧することで乗員Ｄをサイドドア１４から対向ドア側に遠ざけ、剛性の低い乗員胸部前部側面を低圧の外側バッグ１２で拘束し、側突時の乗員胸部の衝撃エネルギーを外側バッグ１２で吸収する。この結果、剛性の高い乗員後部Ｄｒをサイドエアバッグ装置１０による乗員保護において積極的に利用することができ、車両側突時に乗員Ｄを効果的に保護することが可能であり、サイドエアバッ装置１０の乗員保護性能が向上する。
【００１８】
車両上下方向には、図１、図２に示すように、内側バッグ１１がシートバック１７の上下方向中央部かそれより下方部位（シートバック１７の上下方向中央部でもよいし、あるいはシートバック１７の上下方向中央部の下方の、たとえばシートバック１７の下端部でもよい）からシートバック１７の上端近傍までをカバーし、外側バッグ１２が車両上下方向にシートバック１７の下端部から上端近傍までをカバーするように、内側バッグ１１と外側バッグ１２の展開形状が設定されている。たとえば、内側バッグ１１は乗員Ｄの肋骨の側部の下端または骨盤Ｄｌ（内側バッグ１１の下端は乗員Ｄの肋骨の側部の下端側方に位置していてもよいし、あるいは乗員Ｄの骨盤Ｄｌの側方に位置していてもよい）から乗員Ｄの肩甲骨Ｄｕまでの部分をカバーしており、外側バッグ１２は乗員Ｄの骨盤Ｄｌから乗員Ｄの肩甲骨Ｄｕまでの部分をカバーしている。
【００１９】
外側バッグ１２内に内側バッグ１１が展開膨張するので、展開完了状態において、外側バッグ１２の容積Ｖ２は内側バッグ１１の容積Ｖ１より大きい。展開完了状態において、外側バッグ１２の上下方向寸法は内側バッグ１１の上下方向寸法より大きい。
【００２０】
この構成をとると、外側バッグ１２が内側バッグ１１より上下方向に長いので、外側バッグ１２は車両側突時にサイドドア１４が乗員Ｄを押す時の衝撃を上下方向に分散させることができる。その結果、乗員Ｄは、長い線と広い面積で側突衝撃を受けることができ、一点で受けてその点に集中荷重がかかる場合に比べて、より面圧が低くなる。そのため、外側バッグ１２は乗員胸部前部と広い面で接触し、ドアトリム（ドア内装材）２５との局所的な接触荷重の分散や、乗員Ｄに負荷される荷重を吸収する。
【００２１】
図５、図２２に示すように、内側バッグ１１が外側バッグ１２と同時かまたは先に開くように展開順序が設定されている。図５において、内側バッグ１１が開くときに、外側バッグ１２の一部は内側バッグ１１に内側より押されて内側バッグ１１と共に展開してもよい。また、図２２においてＴ１≦Ｔ２である。
図５において、（イ）は展開初期の状態を、（ロ）は展開中期の状態を、（ハ）は完全展開をの状態を、それぞれ、示し、（ｉ）は側面視を、（ii）は平面視を示す。展開初期では、内側バッグ１１が展開するとともに、外側バッグ１２の一部は内側バッグ１１に内側より押されて内側バッグ１１と共に展開する。展開中期では、内側バッグ１１がさらに展開しノーズ部１２ｂも展開膨張し、外側バッグ１２の一部は内側バッグ１１に内側より押されて内側バッグ１１と共に展開する。完全展開状態では、内側バッグ１１と外側バッグ１２は、ともに完全に展開膨張している。
【００２２】
高圧の内側バッグ１１が低圧の外側バッグ１２と同時かまたは先に開く構成をとることにより、車両の側突時に先に内側バッグ１１が展開して乗員Ｄをサイドドア１４から遠ざけるとともに、乗員Ｄとサイドドア１４との間に隙間を確保し、ついで、乗員Ｄとサイドドア１４との間の隙間に、時間的に余裕がある低圧の外側バッグ１２を展開させることができる。こうすることによって、乗員Ｄを速やかに、サイドドアから遠ざけることができるとともに、低圧バッグ１２を確実に展開膨張させて衝突の衝撃を吸収することができる。
【００２３】
内側バッグ１１と外側バッグ１２が図５のように展開膨張するためには、内側バッグ１１、外側バッグ１２を、図６に示すように、内側バッグ１１を内部に含んだ外側バッグ１２の、上下方向中央領域以外の上下領域を上下方向に折りたたんだ後（図６の（ハ））、上下方向中央領域を車両前後方向に折りたたむ（図６の（ロ）、ついで（イ））ことが有効である。
【００２４】
展開は折りたたみ順序と逆となる。すなわち、図６の（イ）、（ロ）、（ハ）、（ニ）の順で展開、膨張する。図６の折りたたみ構成をとることにより、外側バッグ１２と内側バッグ１１は、上下方向中央領域が後部から前方に順に展開した後（図６の（イ）、（ロ））、上下方向中央領域の上下領域が上下方向に展開し（図６の（ハ））、最終的に図６の（ニ）の完全展開状態となる。内側バッグ１１は外側バッグ１２より先に展開し始めるが、内側バッグ１１の展開は外側バッグ１２の上下方向中央領域の前方への展開を助ける。外側バッグ１２と内側バッグ１１は、互いの展開を妨げることはない。
【００２５】
サイドエアバッグ装置１０は、乗員の体格を検知する乗員検知センサ（シート内に配置した荷重センサ）をさらに備えている。サイドエアバッグ装置１０は、図２１に示すように、展開制御装置１００（図２１の制御ルーチンを備えた装置）を備えている。図２１の展開制御装置１００のルーチンには所定の時間間隔で割り込まれる。図２１の展開制御装置１００は、側突センサ（図示略）からの信号で側突が生じたかあるいは生じそうかを判定する工程１０１と、側突が生じたかあるいは生じそうと判定した場合は、次工程（１０２）へと進んで、乗員検知センサ（図示略、通常、シートに埋め込んだ荷重センサ）からの信号に基づいて乗員が小柄な乗員であるか否かを判定する工程１０２と、乗員が小柄な乗員であると判断した場合は外側バッグ１２のみを展開する工程１０３と、乗員が小柄な乗員であると判断された場合以外は外側バッグ１２と内側バッグ１１の両方を展開する工程１０４を含む。
【００２６】
展開制御装置１００を備えることにより、小柄な乗員（たとえば、小児等）への、サイドエアバッグ（とくに内側バッグ１１）からの過大な負荷を抑制することができ、乗員の体格に応じて車両の側突から適切に乗員を保護することが可能である。
【００２７】
以上は、本発明の実施例１のみならず、本発明の実施例１以外の本発明の実施例にも適用される。本発明の実施例１はさらにつぎの構成、作用、効果を有する。
図７〜図１６のサイドエアバッグ装置１０では、インフレータ２１は単一のインフレータからなる。
インフレータ２１が単一のインレータからなる場合、サイドエアバッグ装置１０は、図１１、図１２に示すようにシートバックに固定されてもよい。図１１、図１２の構成では、インフレータ２１は、バッグ１１、１２と共に、シートバックのシートフレーム２６に、インフレータ２１を保持するインフレータブラケット２７をボルト２８等でシートフレーム２６に固定することにより、締結部にて、取付けられている。膨張用ガスはインフレータノズル２９から噴出される。バッグ１１はインフレータノズル２９にノズル固定バンド３０で固定されている。
【００２８】
インフレータ２１が単一のインフレータからなる場合は、内側バッグ１１と外側バッグ１２に対して独立にインフレータ２１を設ける場合（２個のインフレータを設ける場合）に比べて、コスト低減となる。
【００２９】
インフレータ２１が単一のインレータからなる場合、サイドエアバッグ装置１０は、図７〜図１２の構成をとってもよい。図７〜図１２の構成では、図７、図８に示すように、内側バッグ１１は、車両前後方向で乗員背中から標準体型での乗員肋骨の車両前後方向中央部までの領域で展開するメイン部１１ａと、該メイン部１１ａよりさらに車両前後方向前方に展開し乗員Ｄの上腕部Ｄａに沿って延びるストロー状のノーズ部（ストロー、またはストロー部ともいう）１１ｂを有している。ノーズ部１１ｂの車両前後方向前端には外側バッグ１２内部に連通するガス圧調整用のオリフィス１５が１個以上設けられている。内側バッグ１１のノーズ部１１ｂの部分は、外側バッグ１２に縫製等により固定されていてもよい。
【００３０】
図７〜図１２の構成をとった場合には、内側バッグ１１が乗員Ｄの上腕部Ｄａに沿って延びるストロー状のノーズ部１１ｂと、ノーズ部１１ｂの前端にオリフィス１５を有するので、車両の側突時に、インフレータ２１が作動して膨張用ガスは、内側バッグ１１に噴出され、ノーズ部１１ｂを通して、かつオリフィス１５で圧力調整（減圧）されて外側バッグ１２内に供給される。この際、乗員Ｄのサイドドア側に最も張り出した上腕部Ｄａの横にノーズ部１１ｂを配置することで、ドアトリム２５と乗員Ｄ（乗員の上腕部以外の部分）との隙間が狭い部分における初期隙間を確保し、低圧の外側バッグ１２がこの隙間に展開しやすくすることができる。この結果、外側バッグ１２の展開性能が向上する。
【００３１】
図７〜図１２の構成では、さらに、図９に示すように、外側バッグ１２が、外側バッグ１２の内部を大気に連通するベント穴１６を有していてもよい。ベント穴１６は外側バッグ１２のみに設けられており、内側バッグ１１には設けられない。
【００３２】
外側バッグ１２がベント穴１６を有する場合は、外側バッグ１２の内圧を内側バッグ１１の内圧に比べて確実に低くすることができる。また、ベント穴１６の径を調整することにより、外側バッグ１２の内圧を所望の圧力に容易に設定することができる。この場合ベント穴１６の径が大きいほど外側バッグ１２の内圧は大気圧に近づく。また、ベント穴１６の径を調整することにより、人体形状およびドアトリム形状等によりバッグ形状が抑制され局所的体積の変化が起こる場合等の圧力変化をコントロールできる。
【００３３】
〔実施例２〕
インフレータ２１が単一のインレータからなる場合、サイドエアバッグ装置１０は、図７〜図１２の構成に代えて、図１３〜図１６の構成をとってもよい。図１３〜図１６の構成では、インフレータ２１がガス噴出口（インフレータノズル）２９を有しており、サイドエアバッグ装置１０が、インフレータ２１のガス噴出口（インフレータノズル）２９と内側バッグ１１の内部とを接続する流れ抵抗小の通路（通路３３に比べて太くて短い通路）３２と、インフレータ２１のガス噴出口（インフレータノズル）２９と外側バッグ１２の内部とを接続する流れ抵抗大の通路（通路３２に比べて細くて長い通路）３３とをもつ分圧器３１を有している。
【００３４】
図１３〜図１６のサイドエアバッグ装置１０では、サイドエアバッグ装置１０が、１つのインフレータ２１のガス噴出口（インフレータノズル）２９を分圧器３１を介して内側バッグ１１と外側バッグ１２に接続することにより、確実に、内側バッグ１１に高圧ガスを、外側バッグ１２に低圧ガスを供給することができる。
【００３５】
〔実施例３〕
サイドエアバッグ装置１０は、図７〜図１６のシングルインフレータに代えて、図１７〜図２０のダブルインフレータの構成をとってもよい。図１７〜図２０の構成では、インフレータ２１は、内側バッグ１１に膨張用ガスを供給する第１のインフレータ２１Ａと外側バッグ１２に膨張用ガスを供給する第２のインフレータ２１Ｂとの、２個のインフレータを含む。内側バッグ１１と外側バッグ１２、および第１のインフレータ２１Ａと第２のインフレータ２１Ｂは、図１７〜図１９に示すように、シートフレーム２６に固定される。
【００３６】
図１７〜図２０のサイドエアバッグ装置１０の構成をとった場合には、少なくとも１つのインフレータ２１が、内側バッグ１１に膨張用ガスを供給する第１のインフレータ２１Ａと外側バッグ１２に膨張用ガスを供給する第２のインフレータ２１Ｂとの２個のインフレータを含むので、内側バッグ１１と外側バッグ１２に、互いに独立に、圧力の異なるガスを供給し、内側バッグ１１と外側バッグ１２をそれぞれのタイミングで独立に展開させることができる。
その結果、外側バッグ１２のみを展開させる場合を含む図２１の展開制御装置１００と組み合わせた場合に、シートに設置した乗員体格検知センサにより検知した乗員体格の大小に応じて内側バッグ１１への膨張用ガスの供給をＯＮ／ＯＦＦすることで、外側バッグ１２のみを容易に展開膨張させることができる。
【図面の簡単な説明】
【００３７】
【図１】本発明の実施例１のサイドエアバッグ装置の内側バッグと外側バッグの展開形状を示す側面視模式図である（実施例１以外にも適用可）。
【図２】図１のサイドエアバッグ装置の内側バッグと外側バッグの展開形状を示す正面視模式図である。
【図３】図１のサイドエアバッグ装置の内側バッグと外側バッグの展開形状を示す平面視模式図である。
【図４】図１のサイドエアバッグ装置の内側バッグと外側バッグがとりうる変形例の展開形状を示す模式平面図である。
【図５】本発明の実施例１のサイドエアバッグ装置の内側バッグと外側バッグの展開挙動を、（イ）展開初期、（ロ）展開中期、（ハ）完全展開にわたって、示す（ｉ）側面視模式図および（ii）平面視模式図である（実施例１以外にも適用可）。
【図６】本発明の実施例１のサイドエアバッグ装置の内側バッグと外側バッグの、バッグ展開、バッグの折り方（折り方は展開順序と逆になる）を展開順序（イ）、（ロ）、（ハ）、（ニ）で示した側面視模式図および（ホ）、（ヘ）で示した模式平面図である（実施例１以外にも適用可、（ホ）は（イ）の模式平面図であり、（ヘ）は（ロ）の模式平面図である）。
【図７】本発明の実施例１のサイドエアバッグ装置の内側バッグと外側バッグの展開形状を示す側面視模式図である。
【図８】図７のサイドエアバッグ装置の内側バッグと外側バッグの展開形状を示す正面視模式図である。
【図９】本発明の実施例１のサイドエアバッグ装置で、内側バッグがノーズ部とオリフィスを有し外側バッグがベント穴を有する場合の、内側バッグと外側バッグの展開形状を示す側面視模式図である。
【図１０】図１のサイドエアバッグ装置の内側バッグと外側バッグの展開形状を示す平面視模式図である。
【図１１】図９のＡ−Ａ拡大断面図である。
【図１２】図９のＢ部拡大断面図である。
【図１３】本発明の実施例２のサイドエアバッグ装置の内側バッグと外側バッグの展開形状を示す側面視模式図である。
【図１４】図１３のサイドエアバッグ装置の内側バッグと外側バッグの展開形状を示す正面視模式図である。
【図１５】図１３のＢ部の拡大平面図である。
【図１６】図１５の側面視断面模式図である。
【図１７】本発明の実施例３のサイドエアバッグ装置の内側バッグと外側バッグの展開形状を示す側面視模式図である。
【図１８】図１７のサイドエアバッグ装置の内側バッグと外側バッグの展開形状を示す平面視模式図である。
【図１９】図１７のＢ部の拡大平面図である。
【図２０】図１９の側面視断面模式図である。
【図２１】本発明の実施例１のサイドエアバッグ装置の、乗員が小柄であるか否かで内側バッグのＯＮ、ＯＦＦを切り替える制御図である（実施例１以外にも適用可）。
【図２２】本発明の実施例１のサイドエアバッグ装置の、高圧Ｐ１の内側バッグと低圧Ｐ２の外側バッグの展開タイミング図である（実施例１以外にも適用可）。
【符号の説明】
【００３８】
１０  サイドエアバッグ装置
１１  内側バッグ
１１ａ  メイン部
１１ｂ  ノーズ部
１２  外側バッグ
１３  仕切り壁
１４  サイドドア
１５  オリフィス
１６  ベント穴
１７  シートバック
２１  インフレータ
２１Ａ  第１のインレータ
２１Ｂ  第２のインレータ
２５  ドアトリム
２６  シートフレーム
２７  インフレータブラケット
２８  ボルト
２９  インフレータノズル（ガス噴出口）
３０  ノズル固定バンド
３１  分圧器
３２  流れ抵抗小の通路
３３  流れ抵抗大の通路
１００  展開用制御装置
Ｄ  乗員
Ｄａ  上腕部
Ｄｒ  乗員後部
Ｄｆ  乗員前部
Ｄｕ  乗員肩甲骨
Ｄｌ  乗員腰部
【図１】
2008201175.tif 000003
【図２】
2008201175.tif 000004
【図３】
2008201175.tif 000005
【図４】
2008201175.tif 000006
【図５】
2008201175.tif 000007
【図６】
2008201175.tif 000008
【図７】
2008201175.tif 000009
【図８】
2008201175.tif 000010
【図９】
2008201175.tif 000011
【図１０】
2008201175.tif 000012
【図１１】
2008201175.tif 000013
【図１２】
2008201175.tif 000014
【図１３】
2008201175.tif 000015
【図１４】
2008201175.tif 000016
【図１５】
2008201175.tif 000017
【図１６】
2008201175.tif 000018
【図１７】
2008201175.tif 000019
【図１８】
2008201175.tif 000020
【図１９】
2008201175.tif 000021
【図２０】
2008201175.tif 000022
【図２１】
2008201175.tif 000023
【図２２】
2008201175.tif 000024